(57)【特許請求の範囲】
【請求項１】
一対の基板間に液晶組成物層が挟持された液晶パネルとバックライトとを備えた液晶表示装置であって、前記液晶組成物層は、
２５℃における５８９ｎｍの波長に対する屈折率異方性値（Δｎ）が０．０７〜０．１０であり、
２５℃における誘電率異方性値（Δε）が−０．７〜−０．９３であり、
２０℃における粘度（η）が１１．１ｍＰａ・ｓｅｃ以下である液晶組成物からなる、前記液晶表示装置。
【請求項２】
前記液晶組成物の２５℃における誘電率異方性値Δεが―０．７４〜−０．９３であり、２０℃における粘度（η）が９．３〜１１．１ｍＰａ・ｓｅｃである、請求項１に記載の液晶表示装置。
【請求項３】
前記液晶パネルの表示面側およびバックライト側に偏光板をさらに備え、
電界無印加時には、前記液晶組成物を構成する液晶化合物のダイレクターが基板面に対し、略垂直方向である、請求項１または２に記載の液晶表示装置。
【請求項４】
前記液晶パネルと前記バックライトはフィールドシーケンシャル方式で駆動する請求項１〜３のいずれか１項に記載の液晶表示装置。
【請求項５】
前記液晶組成物の２５℃における５８９ｎｍの波長に対する屈折率異方性値（Δｎ）と前記液晶組成物層の厚み（ｄ）との積（Δｎ・ｄ）が３００ｎｍ以下である、請求項１〜４のいずれか１項に記載の液晶表示装置。
【請求項６】
前記液晶組成物層の厚み（ｄ）が２μｍ〜４μｍである、請求項１〜５のいずれか１項に記載の液晶表示装置。
【請求項７】
前記液晶組成物は、アルケニルとビシクロヘキサン環を有する２環液晶化合物を２５重量％〜８０重量％、および２，３−ジフルオロ−１，４−フェニレンを有する液晶化合物を１０重量％〜４０重量％含む、請求項１〜６のいずれか１項に記載の液晶表示装置。
【請求項８】
前記液晶組成物は、前記２環液晶化合物を３５重量％〜６１重量％含み、
前記２，３−ジフルオロ−１，４−フェニレンを有する液晶化合物には、以下の液晶化合物：
【化１】
0006699124.tif 000008
のうちの１つ以上が含まれる、請求項７に記載の前記液晶表示装置。
【請求項９】
前記２環液晶化合物には、以下の液晶化合物：
【化２】
0006699124.tif 000009
のうちの一つ以上が含まれる、請求項７または８に記載の前記液晶表示装置。
【請求項１０】
前記液晶組成物は、前記２環液晶化合物を３５重量％〜６１重量％含み、
前記２，３−ジフルオロ−１，４−フェニレンを有する液晶化合物には、以下の液晶化合物：
【化３】
0006699124.tif 000010
が含まれ、
前記２環液晶化合物には、以下の液晶化合物：
【化２】
0006699124.tif 000011
が含まれる、請求項７に記載の液晶表示装置。
【発明の詳細な説明】
【技術分野】
【０００１】
本発明は、バックライトを有する液晶表示装置、および、当該液晶表示装置に用いることができる液晶組成物に関する。
【背景技術】
【０００２】
一般に、バックライトを有する液晶表示装置では、画素電極および薄膜トランジスタ（ＴＦＴ）等がマトリクス状に形成されたＴＦＴ基板と、画素電極と対応する場所にカラーフィルターが形成された対向基板と、これらの基板に偏光板が設置され、ＴＦＴ基板と対向基板の間に液晶が挟持されている。そして、液晶分子の電界によるダイレクターの変化による光の透過率変化を画素毎に制御することによって画像を形成している。
【０００３】
液晶表示装置は、薄型、軽量に出来ることから色々な分野に使用されている。液晶は自
身では発光しないので、液晶パネルの背面にバックライトを配置している。バックラ
イトの利用効率を向上させるために、プリズムシート等を用いることによって、液晶表示
パネルの面と垂直方向の光を多くする技術が存在する。
上記、一般的なカラーフィルター液晶表示装置は、カラーフィルターによって光が吸収されるので、バックライトの光の利用効率が悪い。
【０００４】
カラーフィルターを使用せずにカラー表示を行う液晶表示装置の駆動方法として、フィールドシーケンシャル方式がある。フィールドシーケンシャル方式では、赤、緑、青のバックライトを約１６．７ｍｓ以内で点灯させるよう、時間的に切り替えて、赤、緑、青の光を表示パネルに供給する。そのため、各画素にカラーフィルターを設ける必要がなく、バックライトからの透過する光の利用効率を高めることができる。１つの画素で赤、緑、青を表現することができるため、高精細化が容易である（特許文献１，特許文献２）。また、カラーフィルターによる光の吸収がないため、フィールドシーケンシャルカラー方式の光の利用効率は、カラーフィルター方式の３倍以上とされている。液晶の応答時間は、ギャップの自乗に比例し、弾性定数に比例する。弾性定数は液晶の表示モードに依存する。
【０００５】
また、視野角を広げる構成を用いた表示装置、または、液晶パネルの透過率が低い表示装置のコントラスト比（（白表示時の透過光強度）／（黒表示時の透過光強度））は、コントラスト比が低くなる傾向がある。
【先行技術文献】
【特許文献】
【０００６】
【特許文献１】特開２０１５−１３２７８５号公報
【特許文献２】特開２０００−２１４４２１号公報
【発明の概要】
【発明が解決しようとする課題】
【０００７】
上記状況の下、フィールドシーケンシャル方式で駆動する液晶表示装置に用いることができる応答速度を有する液晶組成物が求められている。
また、コントラスト比の高い液晶表示装置、または、光の透過率の比較的低い液晶パネルを用いても、コントラスト比の低下が抑制された液晶表示装置が求められている。
【課題を解決するための手段】
【０００８】
本発明者等は、屈折率異方性値と誘電率異方性値と粘度とを調整することによって、速い応答速度を有する液晶組成物を見出した。また、本発明者等はフィールドシーケンシャル方式で駆動する液晶表示装置に用いることができる液晶組成物を見出した。
【０００９】
本発明は以下の態様の発明を含む。
［１］
２５℃における５８９ｎｍの波長に対する屈折率異方性値（Δｎ）が０．０７〜０．１２であり、
２５℃における誘電率異方性値（Δε）が−０．５〜−２．０であり、
２０℃における粘度（η）が１５ｍＰａ・ｓｅｃ以下である液晶組成物。
［２］
２５℃における誘電率異方性値Δεが−０．７〜−１．５であり、２０℃における粘度（η）が１２ｍＰａ・ｓｅｃ以下の［１］に記載の液晶組成物。
［３］
一対の基板間に［１］または「２」に記載の液晶組成物からなる液晶組成物層が挟持され、電界無印加時には、液晶組成物を構成する液晶化合物のダイレクターが基板面に対し、略垂直方向である液晶パネル。
［４］
一対の基板間に［１］または［２］に記載の液晶組成物からなる液晶組成物層が挟持された液晶パネルとバックライトとを備えた液晶表示装置であって、
前記液晶パネルの表示面側およびバックライト側に偏光板を備え、
電界無印加時には、液晶組成物を構成する液晶化合物のダイレクターが基板面に対し、略垂直方向である液晶表示装置。
［５］
前記液晶パネルと前記バックライトはフィールドシーケンシャル方式で駆動する［４］に記載の液晶表示装置。
［６］
前記液晶組成物の２５℃における５８９ｎｍの波長に対する屈折率異方性値（Δｎ）と前記液晶組成物層の厚み（ｄ）との積（Δｎ・ｄ）が３００ｎｍ以下である、［３］に
記載の液晶パネル。
［７］
前記液晶組成物の２５℃における５８９ｎｍの波長に対する屈折率異方性値（Δｎ）と前記液晶組成物層の厚み（ｄ）との積（Δｎ・ｄ）が３００ｎｍ以下である、［４］または［５］に記載の液晶表示装置。
［８］
前記液晶組成物層の厚み（ｄ）が２μｍ〜４μｍである［３］または［６］に記載の液晶パネル。
［９］
前記液晶組成物層の厚み（ｄ）が２μｍ〜４μｍである［４］、［５］および［７］からなる群から選ばれる１以上に記載の液晶表示装置。
【００１０】
本明細書において、「液晶化合物」、「液晶組成物」、「液晶表示装置」をそれぞれ「化合物」、「組成物」、「装置」と略すことがある。
【発明の効果】
【００１１】
本発明の好ましい態様の液晶組成物は、フィールドシーケンシャル方式で駆動する液晶表示装置に用いることができる応答速度を有する。
また、本発明の好ましい態様の液晶表示装置は光の利用効率が高い。本発明の表示装置に用いられる液晶パネルは、クロスニコル下で電圧を印加されても、通常の液晶パネルより透過率が低いが、本発明の液晶表示装置がフィールドシーケンシャルカラー方式で駆動されることにより、液晶パネルの透過率低下分が補われ、光の利用効率が高くなる。本発明の好ましい態様の液晶表示装置および液晶パネルは、黒表示時の光の透過率が小さい。したがって、前述の通り液晶パネルの透過率が低いにも関わらず、高いコントラスト比が実現できる。
さらに、本発明の好ましい態様の液晶表示装置は、光の透過率が低い液晶パネルまたは駆動電圧が高いが応答速度が速い液晶パネルをフィールドシーケンシャル方式で駆動することにより、光の利用効率を向上させ、消費電力が抑制できる。
【図面の簡単な説明】
【００１２】
【図１】液晶表示装置２００の断面模式図である
【図２】液晶組成物の性質を測定するための評価用セルの模式図である。
【図３】液晶組成物（ＮＬＣ−Ａ〜ＮＬＣ−Ｅ、ＮＬＣ−Ｒ）の電圧−透過率曲線である。
【発明を実施するための形態】
【００１３】
１  液晶組成物
本発明の液晶組成物は、２５℃における５８９ｎｍの波長に対する屈折率異方性値（Δｎ）が０．０７〜０．１２であり、２５℃における誘電率異方性値（Δε）が−０．５〜−２．０であり、２０℃における粘度が１５ｍＰａ・ｓｅｃ以下である、液晶組成物であれば、特に限定されない。
応答速度と光の透過率とのバランスから、液晶組成物のΔｎは０．０７〜０．１０が好ましく、０．０８〜０．１０がさらに好ましい。
誘電率異方性値（Δε）の絶対値が大きすぎると、応答時間が長くなり、絶対値が小さすぎると駆動電圧が高くなる。そこで、応答速度と駆動電圧とのバランスから、液晶組成物の誘電率異方性値（Δε）は−０．７〜−１．５が好ましく、−０．８〜−１．０がさらに好ましい。
本発明の液晶組成物の粘度（η）は小さいほうが、応答速度の高速化に有効である。液晶組成物の粘度は、１２ｍＰａ・ｓｅｃ以下が好ましく、１０ｍＰａ・ｓｅｃ以下がさらに好ましい。
【００１４】
ベンゼン環等の芳香環を多く有する液晶化合物を液晶組成物に用いると、その屈折率異方性値（Δｎ）が高くなりやすく、シクロヘキサン環等の非芳香環を多く有する液晶化合物を液晶組成物に用いると、その屈折率異方性値（Δｎ）が低くなりやすい。
分子長軸方向に電子吸引基を有する液晶化合物を液晶組成物に用いると、その誘電率異方性値（Δε）が高くなりやすく、分子側方位に電子吸引基を有する液晶化合物を液晶組成物に用いると、その誘電率異方性値（Δε）が低くなりやすい。さらに、分子側方位に電子吸引基を有し、アルコキシを有する化合物は、さらに誘電率異方性値（Δε）が低くなりやすい。分子側方位に電子吸引基を有する環として、２，３−ジフルオロ−１，４−フェニレンが好ましい。
電子吸引基を多く有する芳香環を有する液晶化合物を液晶組成物に用いると、その粘度（η）が高くなりやすく、シクロヘキサン環を多く有する液晶化合物を液晶組成物に用いると、その粘度（η）が低くなりやすい。シクロヘキサン環とアルキル鎖としてアルケニルを有する化合物を液晶組成物に用いると、さらに粘度（η）が低くなりやすい。
【００１５】
本明細書中、「アルキル」とは、たとえば、炭素数１〜２０のアルキルであり、当該アルキル中の少なくとも１つの−ＣＨ２−は−Ｏ−、−Ｓ−、−ＣＯＯ−または−ＯＣＯ−で置き換えられてもよく、当該アルキル中の少なくとも１つの−ＣＨ２−ＣＨ２−が−ＣＨ＝ＣＨ−、−ＣＦ＝ＣＦ−または−Ｃ≡Ｃ−で置き換えられもよく、当該アルキル中の少なくとも１つの水素はフッ素または塩素で置き換えられてもよい。「アルキル」の具体例は、−ＣＨ３、−Ｃ２Ｈ５、−Ｃ３Ｈ７、−Ｃ４Ｈ９、−Ｃ５Ｈ１１、−Ｃ６Ｈ１３、−Ｃ７Ｈ１５、−Ｃ８Ｈ１７、−Ｃ９Ｈ１９、−Ｃ１０Ｈ２１、−Ｃ１１Ｈ２３、−Ｃ１２Ｈ２５、−Ｃ１３Ｈ２７、−Ｃ１４Ｈ２９、および−Ｃ１５Ｈ３１であるが挙げられる。
「アルケニル」とは、たとえば、炭素数２〜１２のアルケニル、または、少なくとも１つの水素がフッ素で置き換えられた炭素数２〜１２のアルケニルである。「アルケニル」の具体例は、−ＣＨ＝ＣＨ２、−ＣＨ＝ＣＨＣＨ３、−ＣＨ２ＣＨ＝ＣＨ２、−ＣＨ＝ＣＨＣ２Ｈ５、−ＣＨ２ＣＨ＝ＣＨＣＨ３、−（ＣＨ２）２−ＣＨ＝ＣＨ２、−ＣＨ＝ＣＨＣ３Ｈ７、−ＣＨ２ＣＨ＝ＣＨＣ２Ｈ５、−（ＣＨ２）２−ＣＨ＝ＣＨＣＨ３、および−（ＣＨ２）３−ＣＨ＝ＣＨ２である。
「アルコキシ」とは、たとえば、炭素数１〜１２のアルコキシであり、その具体例は、−ＯＣＨ３、−ＯＣ２Ｈ５、−ＯＣ３Ｈ７、−ＯＣ４Ｈ９、−ＯＣ５Ｈ１１、−ＯＣ６Ｈ１３および−ＯＣ７Ｈ１５、−ＯＣ８Ｈ１７、−ＯＣ９Ｈ１９、−ＯＣ１０Ｈ２１、−ＯＣ１１Ｈ２３、−ＯＣ１２Ｈ２５、−ＯＣ１３Ｈ２７、および−ＯＣ１４Ｈ２９である。
本明細書中、「芳香環」とは、たとえば、芳香族性の６〜８員環であり、これらの環の少なくとも１つの水素がハロゲン、炭素数１〜５のアルキルまたはハロアルキルで置き換えられてもよく、環の−ＣＨ２−は−Ｏ−、−Ｓ−または−ＮＨ−で置き換えられてもよく、−ＣＨ＝は−Ｎ＝で置き換えられてもよい環をいう。
「非芳香環」とは、たとえば、非芳香族性の３〜８員環であり、これらの環の少なくとも１つの水素がハロゲン、炭素数１〜５のアルキルまたはハロアルキルで置き換えられてもよく、環の−ＣＨ２−は−Ｏ−、−Ｓ−または−ＮＨ−で置き換えられてもよく、−ＣＨ＝は−Ｎ＝で置き換えられてもよい環をいう。
「シクロヘキサン環」および「ビシクロヘキサン環」は、少なくとも１つの水素がハロゲン、炭素数１〜５のアルキルまたはハロアルキルで置き換えられてもよく、環の−ＣＨ２−は−Ｏ−、−Ｓ−または−ＮＨ−で置き換えられてもよく、−ＣＨ＝は−Ｎ＝で置き換えられてもよい。
【００１６】
本発明の液晶組成物はネマチック液晶組成物であることが好ましい。当該液晶組成物は１以上の液晶化合物を少なくとも含む。本明細書において、「液晶化合物」とはメソゲンを有する化合物を表し、液晶相を発現する化合物に限定されない。具体的には、ネマチック相、スメクチック相などの液晶相を発現する化合物および液晶相を有しないが液晶組成物の成分として有用な化合物の総称である。
本発明の液晶組成物は、アルケニルとビシクロヘキサン環を有する２環化合物を２５重量％〜８０重量％、２，３−ジフルオロ−１，４−フェニレンを有する化合物を１０重量％〜４０重量％含むことが好ましい。
【００１７】
本発明の液晶組成物はキラル剤を含有していてもよい。
【００１８】
本発明の液晶組成物は、その組成物の特性に影響を与えない範囲で、さらにオイルゲル化剤、高分子物質等の他の化合物が添加されてもよい。本発明の液晶組成物は、オイルゲル化剤、高分子物質の他にも、たとえば二色性色素、フォトクロミック化合物を含有していてもよい。二色性色素の例としては、メロシアニン系、スチリル系、アゾ系、アゾメチン系、アゾキシ系、キノフタロン系、アントラキノン系、テトラジン系などが挙げられる。
【００１９】
２  液晶表示装置
本発明の液晶表示装置および液晶パネルを、液晶表示装置２００の断面模式図である図１に基づいて説明する。
本発明の液晶表示装置２００は液晶パネル１００とその上側と下側に任意に設けられる偏光板３１、３２、および、バックライト４０を備える。液晶パネル１００の表示面側には、拡散フィルム（非図示）がさらに設けられてもよい。拡散フィルムは液晶パネル１００から出射する光を拡散することによって広い視野を持たせることができる。拡散フィルムは、たとえば、ある媒体に屈折率が異なる微粒子を分散させることによって実現することができる。
【００２０】
液晶パネル１００は、第１の基板２１と第２の基板２２との間に液晶組成物層１０が挟持された構造を有する。第１の基板２１の上側には偏光板３１が配置されてもよく、第２の基板２２の下側には偏光板３２が配置されてもよい。偏光方向を変化させるために、偏光板に加えて位相差板（非図示）を用いてもよい。
第１の基板２１と第２の基板２２は一般にはガラス板が用いられるが、樹脂製の基板等が用いられてもよい。
【００２１】
本発明の液晶表示装置２００は、一般的な駆動方式で駆動することができるが、フィールドシーケンシャル方式で駆動することが好ましい。フィールドシーケンシャル方式では、１フィールドを３つ以上のサブフィールドに分割し、バックライトが赤、緑、青が０．５〜６ｍｓの非常に速いスピードで切り替わる。各色の点灯時期に応じて液晶セルに印加する信号電圧を変化させて表示パターンを変化させることによって、３以上のサブフィールド表示後にそれらの色の合成した色を視認させることができる。
本発明の液晶表示装置は、これに限らず、補色関係に色を発光させる、補色のフィールドシーケンシャル方式にも適用することができる。
【００２２】
本発明の液晶表示装置２００がフィールドシーケンシャル方式で駆動する場合、バックライト４０は時間によって色が変化するものであればよい。光源としてはＬＥＤ、ＯＬＥＤ、無機ＥＬ等を用いることができる。
【００２３】
液晶組成物層１０の厚み（液晶組成物層厚：ｄ）と液晶の２５℃における、５８９ｎｍの波長に対する屈折率異方性値（Δｎ）の積（Δｎ・ｄ）は、液晶パネル１００の最大透過率に関係するパラメーターである。応答時間を高速にするために、屈折率異方性値（Δｎ）と前記液晶組成物層の厚み（ｄ）との積（Δｎ・ｄ）は３００ｎｍ以下が好ましく、２９０ｎｍ以下がさらに好ましい。たとえば、特定の波長の透過率は、液晶分子のダイレクターが完全に基板に平行の場合、Δｎｓ・ｄ（Δｎｓは、その特定波長における屈折率異方性値）がその特定波長の半分のときに、透過率が最大となる。
また、液晶組成物層１０の厚み（ｄ）は２μｍ〜４μｍが好ましく、２．５μｍ〜３．５μｍがさらに好ましい。
【００２４】
本発明の液晶表示装置２００は、フィールドシーケンシャル方式で駆動する場合、液晶パネルの透過率が、通常の液晶パネルより低くても、液晶表示装置２００の透過率はカラーフィルター方式を用いた表示装置よりも向上する傾向がある。
【００２５】
本発明の液晶パネル内の液晶分子の配向は、電界無印加時に略垂直である。略垂直の配向を誘起する手法は特に制限されない。垂直配向膜を有する基板を用いてもよく、特開２０１３−５４３５２６号公報に記載されているように、液晶組成物に極性アンカー基を有する化合物を添加してもよい。また、ＰＳＡ（Ｐｏｌｙｍｅｒ  Ｓｕｓｔａｉｎｅｄ  Ａｌｉｇｎｍｅｎｔ）モードを流用してもよい。
【実施例】
【００２６】
以下、実施例により本発明をさらに詳しく説明するが、本発明はこれら実施例によっては制限されない。なお特に言及のない限り、「％」は「重量％」を意味する。
【００２７】
１  測定方法
本明細書において、液晶組成物のネマチック相の上限温度（ＴＮＩ）、粘度（η）、屈折率異方性（Δｎ）および誘電率異方性（Δε）は以下のとおり測定した。
【００２８】
（１）ネマチック相の上限温度（ＴＮＩ；℃）
偏光顕微鏡を備えた融点測定装置のホットプレート（メトラー社ＦＰ−５２型ホットステージ）に、試料（液晶化合物と母液晶との混合物）を置き、１℃／分の速度で加熱しながら偏光顕微鏡を観察した。試料の一部がネマチック相から等方性液体に変化したときの温度をネマチック相の上限温度とした。以下、ネマチック相の上限温度を、単に「上限温度」と略すことがある。
【００２９】
（２）粘度（バルク粘度）（η；ｍＰａ・ｓｅｃ）
Ｅ型粘度計を用いて２０℃で測定した。
【００３０】
（３）屈折率異方性（Δｎ）
屈折率異方性は、波長５８９ｎｍの光を用い、接眼鏡に偏光板を取り付けたアッベ屈折計により、２５℃で測定した。主プリズムの表面を一方向にラビング（rubbing）したあと、試料を主プリズムに滴下した。屈折率（ｎ‖）は偏光の方向がラビングの方向と平行であるときに測定した（２５℃）。屈折率（ｎ⊥）は偏光の方向がラビングの方向と垂直であるときに測定した（２５℃）。屈折率異方性の値は、Δｎ＝ｎ‖−ｎ⊥、の式から計算した。試料が組成物のときはこの方法によって屈折率異方性を測定した。
【００３１】
（４）誘電率異方性（Δε）
（４．１）誘電率異方性が正である組成物
２枚のガラス基板の間隔（ギャップ）が約９μｍ、ツイスト角が８０度の液晶セルに試料を入れた。このセルに２０ボルトを印加して、液晶分子の長軸方向における誘電率（ε‖）を２５℃で測定した。０．５ボルトを印加して、液晶分子の短軸方向における誘電率（ε⊥）を２５℃で測定した。誘電率異方性の値は、Δε＝ε‖−ε⊥、の式から計算した。
【００３２】
（４．２）誘電率異方性が負である組成物
ホメオトロピック配向に処理した液晶セルに試料を入れ、０．５ボルトを印加して誘電率（ε‖）を２５℃で測定した。ホモジニアス配向に処理した液晶セルに試料を入れ、０．５ボルトを印加して誘電率（ε⊥）を２５℃で測定した。誘電率異方性の値は、Δε＝ε‖−ε⊥、の式から計算した。
【００３３】
２  ネマチック液晶組成物の調製
表１に示す組成を有するネマチック液晶組成物ＮＬＣ−Ａ〜ＮＬＣ−Ｆ（実施例）を調製した。具体的には、化合物を準備しそれらを混合して調製した。
【表１】
0006699124.tif 000002
【００３４】
液晶組成物ＮＬＣ−Ａ〜ＮＬＣ−Ｆと同様に液晶組成物ＮＬＣ−Ｒ（比較例）を調製した。ＮＬＣ−Ｒの組成は以下のとおりであった。
【化１】
0006699124.tif 000003
【００３５】
得られたＮＬＣ−Ａ〜ＮＬＣ−ＦおよびＮＬＣ−Ｒのネマチック相の上限温度、粘度、誘電率異方性値、屈折率異方性値は以下のとおりであった。
【表２】
0006699124.tif 000004
【００３６】
３  電圧−透過率曲線の測定
図２は液晶組成物の性質を測定するための評価用セルの模式図である。図２に示すような、透光性基板３００に長さ４０μのＩＴＯ電極３０１が１０μｍ間隔で配置された評価用セル（液晶組成物層の厚み（セル厚）：３．２μｍ）を準備し、当該セル内にＮＬＣ−Ａ〜ＮＬＣ−ＥおよびＮＬＣ−Ｒを１００℃のホットプレート上でキャピラリー注入した。
【００３７】
このようにして得られた評価セルの電圧−透過率曲線を、輝度計（大塚電子株式会社製、液晶ディスプレイ評価システム：ＬＣ−５１１１）で測定した。測定結果を図３に示した。なお、印加波形は矩形波、周波数は６０Ｈｚとした。
図３に示すように、ＮＬＣ−Ａ〜ＮＬＣ−ＥはＮＬＣ−Ｒに比べて、誘電率異方性値（Δε）の絶対値が小さいため、曲線が右側に移動している。また、ＮＬＣ−Ａ〜ＮＬＣ−ＥはＮＬＣ−Ｒに比べて、屈折率異方性（Δｎ）が小さいため、電圧−透過率曲線が飽和した場合の透過率が低い傾向がある。
【００３８】
４  応答時間の測定
ＮＬＣ−Ａ〜ＮＬＣ−Ｅ、ＮＬＣ−Ｒが注入された各評価セルにおける印加電圧を１０Ｖとし、ＮＬＣ−Ａ〜ＥおよびＮＬＣ−Ｒの電圧除去時の応答時間（１０Ｖ印加時の透過率に対し、９０％の透過率から１０％の透過率に変化するのに要する時間）を３回測定し、応答時間の平均値を求めた。測定結果は表３に示すとおりであった。
【表３】
0006699124.tif 000005
【００３９】
評価セルにおける印加電圧を２０Ｖに設定したこと以外は同じ条件で、ＮＬＣ−Ａ〜Ｅの電圧除去時の応答時間（２０Ｖ印加時の透過率に対し、９０％の透過率から１０％の透過率に変化するのに要する時間）を３回測定し、応答時間の平均値を求めた。測定結果は表４に示すとおりであった。
【表４】
0006699124.tif 000006
【００４０】
５  電圧無印加時の透過率
クロスニコルに配置された偏光板間にＮＬＣ−Ａ、ＮＬＣ−Ｂ、ＮＬＣ−Ｃ、ＮＬＣ−Ｒを配置したセルをそれぞれ６個作製し（セル１〜セル６）、各セルにおける電圧無印加時の透過光強度を測定した。なお、光源をＯＮにし、偏光板間にセルを挟まない状態で、偏光板をパラニコルに配置した場合の透過光強度を１００％、偏光板をクロスニコルに配置した場合の透過光強度を０％とした。測定結果を表５に示した。
【表５】
0006699124.tif 000007
【００４１】
表５の測定結果より、ＮＬＣ−Ａ〜Ｃは、ＮＬＣ−Ｒに比べて、電圧無印加時の透過率が約半分になることがわかった。ＮＬＣ−Ａ〜Ｃの電圧無印加時の透過率が低くなるのはΔｎ・ｄが小さいことが理由と推察される。したがって、本発明の液晶組成物を用いた液晶パネルは、電圧無印加時の透過率が低いため、電圧印加時の透過率が低くなっても、高いコントラスト比を実現できる。
また、上述のとおり、本発明の液晶組成物ＮＬＣ−Ａ〜Ｅは高速応答が可能であり、フィールドシーケンシャル方式で駆動する液晶表示装置に用いることができる。
したがって、本発明の液晶組成物をフィールドシーケンシャル方式で駆動する液晶表示装置で用いた場合、コントラスト比が高く、色割れが軽減され、透過率の高い装置の提供が可能になる。
【産業上の利用可能性】
【００４２】
本発明は、たとえば、液晶表示素子に利用できる。
【符号の説明】
【００４３】
１０  液晶組成物層
２１  第１の基板
２２  第２の基板
３１  偏光板
３２  偏光板
４０  バックライト
１００  液晶パネル
２００  液晶表示装置
３００  透光性基板
３０１  ＩＴＯ電極
【図１】
0006699124.tif 000012
【図２】
0006699124.tif 000013
【図３】
0006699124.tif 000014